(57)【要約】      （修正有）【課題】遮音効果を有する引き戸装置において、引き戸の開き動作に従来の引き戸のように特段の力が不要である引き戸装置を提供する。【解決手段】引き戸装置は、建物等の出入口上部に設けた断面視が横長の長方形であるリップ付き溝形鋼で構成されたガイドレール３、同ガイドレールを用いる懸垂式の引き戸２、ガイドレールと引き戸を取着する枠体を備える。引き戸２は、前記出入口を遮蔽可能な寸法の引き戸本体２００、引き戸本体の上面に固着した吊車２１０、引き戸本体上方で各吊車２１０の間かつガイドレール３と引き戸本体２００上面の間に配置する第１遮蔽部材２２０、吊車に取着する第２遮蔽部材２３０、引き戸本体下面に設けた下部ガイド体２４０を備える。第１遮蔽部材２２０は、ガイドレール内へ配置するガイド部２２２、同ガイド部２２２下方に形成されて先端が可撓性又は弾性を有する遮蔽部２２４を有する。【選択図】図２
2014105476.tif 000002
【特許請求の範囲】
【請求項１】
建物の出入り口の上部に設けられる長尺状のガイドレールと、当該ガイドレールの走行路を走行する走行手段を介して同ガイドレールに吊り下げられる引き戸と、を備えた引き戸装置であって、
前記ガイドレールは、
内部が中空の管状構造を備え、前記走行路および走行路を走行する前記走行手段は、前記中空部内に設けられており、
前記ガイドレールの長手方向には、全長にわたって下方に開口し、前記走行手段と引き戸との間に介在する連結部が移動する開口部を有し、
前記引き戸は、
引き戸の上面と前記ガイドレールの引き戸側の面との間に、空隙を有して吊り下げられており、
前記引き戸の上面には、前記ガイドレールの開口部を経由して、下端が引き戸の上面に接し、上縁がガイドレール内に位置し、引き戸の上面と前記ガイドレールとの間の前記空隙を遮蔽する遮蔽部材を有している、
引き戸装置。
【請求項２】
請求項１記載の遮蔽部材は、ガイドレールの開口部内から引き戸側へ下方に突出した形状であって、
ガイドレール内部へ配置され、スライド可能に設けられたガイド部と、
同ガイド部下面から引き戸側へ下向きに形成され、ガイドレールの開口部を通じてガイドレール外に突出した遮蔽部と、
を有しており、
前記ガイド部は、
同ガイド部の側部又は底面がガイドレールの開口部に生じる空隙をガイドレールの内側から遮蔽可能な形状及び寸法であって、走行手段とともにガイドレール内をスライド可能に設けられており、
前記遮蔽部は、引き戸の上方かつ走行手段とガイドレールの間の空隙を遮蔽可能な形状及び寸法であって、その全体又は一部が伸縮するか又は可撓性或いは弾性を有する素材又は構造である、
請求項１記載の引き戸装置。
【請求項３】
請求項１記載の遮蔽部材は、引き戸の上面からガイドレールへ向かって上方へ突出する形状であって、同遮蔽部材がガイドレールの開口部内へ嵌入又は挿入するものであり、嵌入又は挿入した状態において遮蔽部材の先端がガイドレールの内面側上部と当接するか、または、同遮蔽部材先端とガイドレールの内面側上部との間に１ｍｍ乃至５ｍｍの空隙が生じるように設けられている、
請求項１記載の引き戸装置。
【発明の詳細な説明】
【技術分野】
【０００１】
本発明は、引き戸装置に関する。
更に詳しくは、建物等の出入り口の上方に設けられたガイドレールに沿って走行する吊車を用いた引き戸装置であって、吊車と引き戸本体の間に生じる隙間又は空隙（これらをまとめて以下「空隙」という。）に遮音効果を有する部材を配置することで、遮音効果を向上させたものに関する。
【背景技術】
【０００２】
従来から遮音又は防音（これらをまとめて以下「遮音」という。）が必要な部屋の出入り口に設けられる建具として、開き戸タイプのものと、引き戸タイプのものがある。引き戸タイプのものは、開き戸タイプのように動作するためのデッドスペースを確保する必要がないため、特にスペースが限られる都市部の一般住宅や商業地区の店舗等において多く使用されている。
【０００３】
前記引き戸タイプには、引き戸本体下方に戸車が設けられたもののほか、引き戸本体上部に吊車が設けられ、引き戸上方のガイドレールに沿って走行するもの（懸架型）があり、その一例として、特許文献１に示すような引戸ユニットが提案されている。
【０００４】
特許文献１に係る引戸ユニットでは、図３又は図９に示すように、引戸（符号２８又は８８で示される）の本体上端面の幅方向両端近傍に吊車（符号４０，４１又は９０，９１で示される）が少なくとも２つ配置されており、スムーズな戸の開閉を可能にしている。
【先行技術文献】
【特許文献】
【０００５】
【特許文献１】特許公報第３３８０６６９号
【発明の開示】
【発明が解決しようとする課題】
【０００６】
一方、特許文献１の引戸ユニットは、室内側と室外側との間で音が漏れるのを防止すべく、引き戸を出入り口の周縁に設けた磁着パッキンで磁着することにより密閉性を高めることで防音がなされる構造である（特許文献１の図５参照）
【０００７】
しかし、前記特許文献１の引戸ユニットは、閉じた引戸を開け始める時に磁着パッキンの磁着力に抗して強い力で引き戸を引かなければならず、子供、老人、病人又は怪我人のような力が弱いか又は障害がある者にとっては開けづらいという課題があった。
【０００８】
（発明の目的）
そこで、本発明の目的は、遮音効果を有する引き戸装置において、引き戸の開き動作に従来の引き戸のように特段の力を必要としない引き戸装置を提供することにある。
【課題を解決するための手段】
【０００９】
上記目的を達成するために講じた本発明の手段は次のとおりである。
（１）本発明は、建物の出入り口の上部に設けられる長尺状のガイドレールと、当該ガイドレールの走行路を走行する走行手段を介して同ガイドレールに吊り下げられる引き戸と、を備えた引き戸装置であって、前記ガイドレールは、内部が中空の管状構造を備え、前記走行路および走行路を走行する前記走行手段は、前記中空部内に設けられており、前記ガイドレールの長手方向には、全長にわたって下方に開口し、前記走行手段と引き戸との間に介在する連結部が移動する開口部を有し、前記引き戸は、引き戸の上面と前記ガイドレールの引き戸側の面との間に、空隙を有して吊り下げられており、前記引き戸の上面には、前記ガイドレールの開口部を経由して、下端が引き戸の上面に接し、上縁がガイドレール内に位置し、引き戸の上面と前記ガイドレールとの間の前記空隙を遮蔽する遮蔽部材を有している、引き戸装置である。
【００１０】
（２）前記（１）の引き戸装置の遮蔽部材は、ガイドレールの開口部内から引き戸側へ下方に突出した形状であって、ガイドレール内部へ配置され、スライド可能に設けられたガイド部と、同ガイド部下面から引き戸側へ下向きに形成され、ガイドレールの開口部を通じてガイドレール外に突出した遮蔽部と、を有しており、前記ガイド部は、同ガイド部の側部又は底面がガイドレールの開口部に生じる空隙をガイドレールの内側から遮蔽可能な形状及び寸法であって、走行手段とともにガイドレール内をスライド可能に設けられており、前記遮蔽部は、引き戸の上方かつ走行手段とガイドレールの間の空隙を遮蔽可能な形状及び寸法であって、その全体又は一部が伸縮するか又は可撓性或いは弾性を有する素材又は構造であるものであってもよい。
【００１１】
（３）前記（１）の引き戸装置の遮蔽部材は、引き戸の上面からガイドレールへ向かって上方へ突出する形状であって、同遮蔽部材がガイドレールの開口部内へ嵌入又は挿入するものであり、嵌入又は挿入した状態において遮蔽部材の先端がガイドレールの内面側上部と当接するか、または、同遮蔽部材先端とガイドレールの内面側上部との間に１ｍｍ乃至５ｍｍの空隙が生じるように設けられているものであってもよい。
【００１２】
本明細書及び本願の特許請求の範囲にいう「引き戸」は、その材質、形状及び態様を特に限定するものではなく、木質材、スチール等の金属材、紙質材あるいは合成樹脂材等の単一層板、または、木質材、合成樹脂材等を組み合わせた複層板（合板）のような公知部材であってもよい。前記複層板の態様としては、例えば、木製薄板等を各種芯材（一枚板のような自然木素材、合板、ＭＤＦ（Medium Density Fiberboard：中密度繊維板）、パーティクルボード、インシュレーションボード、ダンボール等、あるいはこれらを組み合わせたものでもよい。）の表面に貼り付けたものであってもよいし、フラッシュ構造によるものであって内部に遮音性を有する樹脂等を充填したものであってもよい。
【００１３】
本明細書及び本願の特許請求の範囲にいう「走行手段」は、例えば、特許公報第４７４１０５２号の図５に示すような吊車であって、ガイドレール内へ収納され、その進行方向両端に設けられた二対の（合計４つの）車輪（戸車）を有する支持体と、引き戸へ固着するための部分である取付部材と、前記支持体及び取付部材を結合する箇所である連結部材を備えたものが挙げられ、引き戸上面部に一又は二以上設けられるが、これに限定するものではなく、走行手段の形状又は構造は他の公知手段又は同等物で代替可能であり、その数も適宜設定しうる。
【００１４】
本明細書及び本願の特許請求の範囲にいう「ガイドレール」は、例えば、リップ付き溝形鋼で構成され、当該リップ付き溝形鋼がウェブ部と、同ウェブ部の両端から前記ウェブ部と直交する方向に延びるフランジ部と、同フランジ部の先端から前記ウェブ部と平行に延びるリップ部と、対向するリップ部の先端間の開口部を有する、断面視方形であるものが挙げられるが、これに限定するものではなく、断面視で横方向に長い楕円形のもの或いは断面視三角形その他多角形等の公知形状のものであって、下面側に吊車のような走行手段が走行可能なリップ部（あるいはレール部）及び走行手段に係る連結部が移動可能な開口部が形成されているもの等であってもよい。
【００１５】
本明細書及び本願の特許請求の範囲にいう「遮蔽部材」は、その構成材は遮音性がある素材であれば特に限定されず、例えば、単一素材で形成してもよいし、複合素材で形成してもよい。また、空隙を遮蔽（又は閉塞）して遮音効果があればその形状又は構造も特に限定されないが、加工の容易性や擦過による発塵、振動音・擦過音の騒音抑制を考慮すると、例えば、遮蔽部材の全部又は一部がオレフィンやウレタンのような合成樹脂素材により形成されることが好ましい。
【００１６】
（作  用）
本発明に係る引き戸装置の作用を説明する。
前記の引き戸装置は、遮音がガイドレールと引き戸の上部に設けられた遮音部材との間で行われ、特許文献１記載の先行技術のような磁着力で引き戸を引き寄せるものではないので、引き戸の開き始めに特段の力を必要としない。また、ガイドレールと接する部分が走行手段だけであるから、引き戸の開閉動作に特段の力を必要としない。
更に、前記遮蔽部材は走行手段とガイドレールの間の空隙を遮蔽しているので、これにより気密性が向上する。
【００１７】
前記（２）の引き戸装置は、遮蔽部材の遮蔽部がその全体又は一部が伸縮するか又は可撓性或いは弾性を有する素材又は構造であるので、引き戸の上面と遮蔽部が密接し、遮音性が向上する。更に、前記遮蔽部が伸縮等するので、遮蔽部が硬質又は剛性を有する素材又は構造であるものと比較して、建物の出入り口に設けられたガイドレールへ引き戸を取り付ける際に、または、走行手段の連結部の伸縮等により引き戸の高さ調整を行う際に、遮蔽部材の高さの微調整が不要で作業が行いやすい。
【００１８】
前記（３）の引き戸装置は、遮蔽部材先端とガイドレールの内面側上部との間に１ｍｍ乃至５ｍｍの空隙が生じるので、引き戸の走行時における遮蔽部材とガイドレールとの擦過による発塵、振動音・擦過音の騒音が発生しないか又は発生しにくい。
【発明の効果】
【００１９】
本発明に係る引き戸装置は、遮音がガイドレールと引き戸の上部に設けられた遮音部材との間で行われ、引き戸の開き始めに特段の力を必要とせず、また、ガイドレールと接する部分が走行手段だけであるから、引き戸の開閉動作に特段の力を必要としないので、子供、老人、病人又は怪我人のような力が弱いか又は障害がある者であっても引き戸の開閉を容易に行うことができる。
また、前記のように簡易な構造であるので、引き戸装置の設置時に複雑な調整が不要であり、更に製造及び設置のコスト抑制が期待できるため、一般家庭や医療施設、各種商業施設への普及が見込まれる。
【００２０】
遮蔽部材の遮蔽部の全体又は一部が伸縮等する素材又は構造であるものは、遮音性が更に向上し、また、ガイドレールへ引き戸を取り付ける際に、または、走行手段の連結部の伸縮等により引き戸の高さ調整を行う際に、遮蔽部材の高さの微調整が不要で作業が行いやすい。
【００２１】
また、遮蔽部材先端とガイドレールの内面側上部との間に空隙が生じるように設けられている引き戸装置では、遮蔽部材とガイドレールの擦過による発塵、振動音・擦過音の騒音発生が防止又は抑制される。
【００２２】
更に、前記各引き戸装置は、遮蔽部材によって室内が気密か又は略気密に保たれるので、室内の保温性も向上し、冷暖房機の消費電力の低減が期待できる。
【図面の簡単な説明】
【００２３】
【図１】本発明に係る引き戸装置Ｄ１，Ｄ２の全体概略図。
【図２】引き戸装置Ｄ１の断面視説明図。
【図３】引き戸装置Ｄ１の上部構造を示す斜視説明図（ａ）と断面視説明図（ｂ）。
【図４】引き戸装置Ｄ１の上部構造を示す側面視説明図。
【図５】引き戸装置Ｄ２の断面視説明図。
【図６】引き戸装置Ｄ２の上部構造を示す斜視説明図（ａ）と断面視説明図（ｂ）。
【発明を実施するための形態】
【００２４】
本発明の実施の形態を図１乃至図６に基づき更に詳細に説明する。
【００２５】
〔第１実施形態〕
本発明の第１の実施形態である引き戸装置Ｄ１を図１乃至図４に基づき更に詳細に説明する。
図１乃至図４に示す引き戸装置Ｄ１は、建物等の出入り口１４に設置されるものであり、同出入り口１４の上部に設けられたガイドレール３と、同ガイドレール内の走行手段である吊車を上面に備えた懸垂式の引き戸２と、ガイドレール及び引き戸を取着する枠体１０、を備えている。
以下、本実施形態における引き戸装置Ｄ１の各部について詳述する。
【００２６】
図１を参照する。前記枠体１０は建物等の出入り口１４の周縁である上枠１１と縦枠１２を有しており、上枠１１の下面にはガイドレール３が固着（又は埋設。以下同じ。）され、縦枠１２は引き戸２が閉じきった状態における戸当たりとなる。上枠１１の下方である床部１３にはガイド溝１３１が引き戸２の走行方向と並行に設けられている。なお、前記ガイド溝１３１は、後記する引き戸２の下部ガイド体２４０を引き戸２の走行方向へ案内するものである。
また、枠体の構成は、設置箇所に応じて適宜変更可能であり、例えば、引き戸が開く方向に引き戸が開ききった状態においてその動きを止めるための方立を設けたものであってもよいし、枠体が出入り口周辺の壁と一体化した構成であってもよい。
【００２７】
（ガイドレール）
図２及び図３を参照する。本実施形態において、ガイドレール３は、断面視が横長の長方形であるリップ付き溝形鋼で構成されている。前記ガイドレール３は、ウェブ部３１と、当該ウェブ部の両端から前記ウェブ部と直交する方向に延びるフランジ部３２と、当該フランジ部の先端から前記ウェブ部と平行に延びるリップ部３３と、対向するリップ部の先端間の開口部３４を有しているものである。前記ガイドレール３は、その開口部３４を下側に向けて建物の出入り口１４の上部へ固着され、リップ部３３はその上面（ガイドレール３内部側の面）を後記する吊車２１０の車輪（戸車）２１４が走行可能に設けられている。
【００２８】
（引き戸）
図２を参照する。引き戸２は、閉位置にあるときに建物の出入り口１４を塞ぐことができる寸法の引き戸本体２００と、引き戸本体に設けられた取っ手２０２と、引き戸本体の上面部に固着される吊車２１０と、引き戸本体の上方に配置された第１遮蔽部材２２０と、吊車に取着される第２遮蔽部材２３０と、引き戸本体の下面部に固着される下部ガイド体２４０、を備えている。
【００２９】
引き戸本体２００は、枠体と表面材により形成されたフラッシュ構造であって、前記枠体及び表面材により囲まれた内部空間には遮音材が充填してあり、表面材と遮音材の間に挟まれる形で遮音シートが配置されている（符号及び各部の図示は省略する）。
【００３０】
本実施形態においては、枠体は木材を組んで形成されており、表面材は化粧シート及びＭＤＦからなり、遮音材としてグラスウールを使用しており、遮音シートは高比重の塩化ビニルにより形成されたものを使用している。
【００３１】
しかしながら、前記各部材は、これらに限定するものではなく、例えば、枠体及び表面材は合成樹脂、金属その他公知部材又はこれらの組み合わせであってもよいし、遮音材はポリウール、発泡ウレタン等の多孔質材その他遮音性を有する公知部材であってもよいし、遮音シートはゴム等の樹脂材その他遮音性を有する公知部材により形成されたものであってもよい。
【００３２】
引き戸本体２００の側面上端及び上面両端には、吊車２１０を引き戸２へ固着するための取付部２１６を取着するための切欠部分である、取付凹部２０１が左右それぞれに設けられている（図４参照）。
【００３３】
下部ガイド体２４０は、棒状のアングル材で形成されており、一辺が引き戸本体の下面に固着されて他辺が引き戸本体の高さ方向と鉛直方向となるように設定してあり、同他辺が前記外枠体１０のガイド溝１３１にスライド可能に嵌着する（図１及び図２参照）。
【００３４】
図２乃至図４を参照する。吊車２１０は、引き戸本体２００上面の両端部近傍にそれぞれ１つずつ固着されている。同吊車２１０は、ガイドレール３内へ収納され、その進行方向両端に設けられた二対の（合計４つの）車輪（戸車）２１４を有する支持体２１２と、引き戸２へ固着するための部分である取付部２１６と、前記支持体２１２及び取付部２１６を結合する箇所である連結部２１８、を備えている。
【００３５】
図２乃至図４を参照する。第１遮蔽部材２２０は、各吊車２１０の間で、かつ、ガイドレール３と引き戸本体２００上面部の間に配置されている。本実施形態において、前記第１遮蔽部材２２０は、ガイドレール３内部へ配置されるガイド部２２２と、同ガイド部２２２下方に形成された遮蔽部２２４、を有している。
【００３６】
前記ガイド部２２２は、凸型の管体がその突条部を下にして横臥した形状であって、前記ガイドレール３の内径よりもやや径小な外径に形成され、各吊車２１０とともにガイドレール３内をスライド可能に設けられており、その長さは各吊車間の長さとほぼ同じである。
【００３７】
前記ガイド部２２２は、高さ方向の途中から幅が小さくなっており、この幅小となった下部が引き戸本体２００側へ（即ち下方に）突出した形状となっており、同幅小部分が遮蔽部２２４を構成する。前記遮蔽部２２４は、前記突出した先端が引き戸本体２００上面と当接するように設けられている。
【００３８】
前記遮蔽部２２４は、ガイド部２２２の長手方向に亘って延設されており、その厚みがガイドレールの開口部３４の幅よりも薄く、ガイドレール３と第１遮蔽部材２２０を組み合わせた際に同遮蔽部２２４がガイドレールの開口部３４を通じてガイドレール外に突出し、従来であればガイドレール３下面と引き戸本体２００上面の間に生じる空隙を遮蔽する。
【００３９】
また、前記ガイド部２２２の底面部及び幅小となる遮蔽部２２４の基部部分は、ガイドレールの開口部３４と同開口部３４に嵌入した遮蔽部２２４の外周との間に生じる空隙（各吊車の取付箇所を除く）を、ガイドレール３の内側から遮蔽するか又は略遮蔽するように構成されている。
【００４０】
本実施形態において、前記遮蔽部２２４先端は、断面視円弧状の可撓性又は弾性を有するチューブがその基端側を同遮蔽部２２４先端に固着された構造であり、その長さは遮蔽部２２４の長さ方向に亘っており、引き戸本体２００上面に撓みながら密接するように形成されている。
なお、前記チューブは、その全体が摩擦係数が少なく、かつ、遮音性の高いポリプロピレンで形成されているが、これに限定するものではなく、例えば、ＡＢＳ樹脂等の他の公知素材であってもよい。
また、本実施形態においては、前記の通り遮蔽部２２４先端のみが可撓性又は弾性を有する構造であるが、これに限定するものではなく、前記遮蔽部２２４（或いは第１遮蔽部材２２０）が、その全体又は前記先端を除く他の一部が伸縮するか又は可撓性或いは弾性を有する素材又は構造であるものであってもよい。
【００４１】
前記第２遮蔽部材２３０は、遮蔽部２２４先端と同じ素材で形成されており、ガイドレール３下面と引き戸本体２２０上面の間であって、かつ、ガイドレール３に取着された状態における各吊車の連結部２１８の側部に生じる空隙に固着されるものである。
【００４２】
（作  用）
引き戸装置Ｄ１の作用を説明する。
一般的な引き戸を閉じた状態においては、従来であればガイドレール下面と引き戸本体上面部の間に空隙が生じ、そこから音漏れが生じる。
しかし、引き戸装置Ｄ１によれば、前記の空隙が第１遮蔽部材２２０及び第２遮蔽部材２３０によって遮蔽されており、更に、ガイド部２２２の底面部と幅小となる遮蔽部２２４の基部部分によってガイドレールの開口部３４と同開口部３４から突出した遮蔽部２２４の外周との間に生じる空隙も遮蔽されるか又は略遮蔽される。このように音漏れが生じうる各空隙が遮蔽されているので、遮蔽後の箇所からの音漏れが防止又は抑制（低減化）される。
【００４３】
また、引き戸装置Ｄ１の開閉動作時には、各遮蔽部材（２２０及び２３０）が引き戸２の走行を阻害しない構成であるので、引き戸２が走行する際の動作が軽く、引き戸開閉の始動時及び終了時に必要な力が少なくて済む（引き戸の開き始めに特段の力を必要としない）。このため、子供、老人、病人又は怪我人のような力が弱いか又は障害がある者であっても引き戸の開閉を容易に行うことができる。
【００４４】
また、引き戸装置Ｄ１は、遮蔽部２２４先端が可撓性或いは弾性を有する素材及び構造であって、引き戸本体２２０上面と遮蔽部２２４が密接するので、遮音性が良い。更に、前記遮蔽部２２４先端が可撓性又は弾性を有するので、遮蔽部が硬質又は剛性を有する素材又は構造であるものと比較して、建物の出入り口１４に設けられたガイドレール３へ引き戸２を取り付ける作業の際に、または、吊車２１０の連結部２１８を伸縮させて引き戸２の高さ調整を行う作業の際に、遮蔽部材２２０の高さの微調整が不要となる。
【００４５】
前記のように簡易な構造であるので、引き戸装置Ｄ１はその設置時に複雑な調整が不要であり、更に製造及び設置のコスト抑制が期待できるため、一般家庭や医療施設、各種商業施設への普及が見込まれる。
【００４６】
なお、本実施形態における引き戸装置Ｄ１では、第１遮蔽部材２２０の遮蔽部２２４がガイドレール３との間で直接的に摩擦が生じないか又は摩擦が少ない構造であるため、両部材の擦過による発塵、擦過音等の騒音発生が抑制される。
【００４７】
更に、各遮蔽部材（２２０及び２３０）によって室内が気密か又は略気密に保たれるので、室内の保温性も向上し、冷暖房機の消費電力の低減が期待できる。
【００４８】
〔第２実施形態〕
本発明の第２の実施形態である引き戸装置Ｄ２を図１、図５及び図６に基づき更に詳細に説明する。
なお、第１実施形態に係る引き戸装置Ｄ１と第２実施形態に係る引き戸装置Ｄ２は、遮蔽部材を除く各部の構造が同じであるため、説明が重複する記載については、詳細な説明を省略する。また、第１実施形態に係る引き戸装置Ｄ１と同等の構造の部分については同じ番号を付する。
【００４９】
図５及び図６を参照する。第１遮蔽部材２５０は、各吊車２１０の間で、かつ、ガイドレール３と引き戸本体２００上面部の間に配置されている。
【００５０】
本実施形態において、前記第１遮蔽部材２５０は、先端が断面視円弧状に形成された帯状の部材であって、その長さは各吊車間の長さとほぼ同じであり、その厚みがガイドレールの開口部３４の幅よりも薄く、基端（図５及び図６において符号２５０の下端）が引き戸本体２００上面に固着されている。
【００５１】
なお、本実施形態において、前記第１遮蔽部材２５０は、その全体が摩擦係数が少なく、かつ、遮音性の高いポリプロピレンで形成されており、先端部近傍の内部に空間が設けられているため同先端部が可撓性又は弾性を有しているが、これに限定するものではなく、例えば、先端部分のみポリプロピレンで形成され、他の部分は金属等他の素材で形成された態様であってもよいし、遮蔽部材の全体又は一部を構成する素材が例えば、ＡＢＳ樹脂等の他の公知素材であってもよい。
【００５２】
前記第１遮蔽部材２５０は、ガイドレール３と組み合わせた際に、ガイドレールの開口部３４を通じてガイドレール３内へ嵌入し、従来であればガイドレール３下面と引き戸本体２００上面の間に生じる空隙を遮蔽するように構成されている。
【００５３】
更に、嵌入後の前記第１遮蔽部材２５０の先端はガイドレール３のウェブ部３１の内面側と当接しており、ガイドレールの開口部３４と同開口部３４に嵌入した第１遮蔽部材２５０の外周との間に生じる空隙から漏れ出る（通り抜ける）音を、第１遮蔽部材２５０の先端とガイドレール３のウェブ部３１の内面側が当接して遮蔽することで、遮音するように構成されている。
【００５４】
（作  用）
引き戸装置Ｄ２の作用を説明する。なお、第１実施形態に係る引き戸装置Ｄ１と第２実施形態に係る引き戸装置Ｄ２について、共通する作用の記載は説明を省略する。
【００５５】
引き戸装置Ｄ２によれば、従来であればガイドレール下面と引き戸本体上面部の間に生じる空隙が第１遮蔽部材２５０及び第２遮蔽部材２３０によって遮蔽され、更に、ガイドレール３に嵌入した後の第１遮蔽部材２５０先端とガイドレール３のウェブ部３１内面側が当接して、ガイドレールの開口部３４と同開口部３４に嵌入した第１遮蔽部材２５０の外周との間に生じる空隙から漏れ出る（通り抜ける）音を、前記当接部により遮蔽することで遮音する。このように音漏れが生じる空隙は遮蔽されているので、当該遮蔽部分からの音漏れが防止又は抑制（低減化）される。
【００５６】
また、引き戸装置Ｄ２の開閉動作時には、各遮蔽部材（２５０及び２３０）が引き戸２の走行を阻害しにくい（第１遮蔽部材２５０先端とガイドレール３との間の摩擦が少ない）構成に設けられているので、引き戸２が走行する際の動作が軽く、引き戸開閉の始動時及び終了時に必要な力が少なくて済む。また、第１遮蔽部材２５０とガイドレール３の擦過による発塵、擦過音等の騒音発生も抑制される。
【００５７】
引き戸装置Ｄ２も、第１遮蔽部材２５０が可撓性或いは弾性を有する素材及び構造であって、引き戸本体２２０上面と第１遮蔽部材２５０先端が密接するので、遮音性が良い。更に、前記第１遮蔽部材２５０先端が可撓性又は弾性を有するので、遮蔽部が硬質又は剛性を有する素材又は構造であるものと比較して、建物の出入り口１４に設けられたガイドレール３へ引き戸２を取り付ける作業の際に、または、吊車２１０の連結部２１８を伸縮させて引き戸２の高さ調整を行う作業の際に、第１遮蔽部材２５０の高さの微調整が不要となる。
【００５８】
前記のように簡易な構造であるので、引き戸装置Ｄ２もその設置時に複雑な調整が不要であり、更に製造及び設置のコスト抑制が期待できるため、一般家庭や医療施設、各種商業施設への普及が見込まれる。更に、各遮蔽部材（２５０及び２３０）によって気密に保たれるので、室内の保温性も向上し、冷暖房機の消費電力の低減が期待できる。
【００５９】
なお、本実施形態においては、嵌入後の前記第１遮蔽部材２５０の先端は、ガイドレール３のウェブ部３１の内面側と当接しているが、同先端とガイドレール３のウェブ部３１の内面側との間に微小な間隔が生じるように設けられていてもよい。この場合、遮音効果を考慮すると、前記の微小な間隔は、１ｍｍ乃至５ｍｍであることが好ましい。本構成の場合、ガイドレールの開口部と同開口部に嵌入した第１遮蔽部材の外周との間に生じる空隙は略遮蔽される。
【００６０】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００６１】
Ｄ１，Ｄ２    引き戸装置
１０    枠体
１１    上枠
１２    縦枠
１３    床部
１３１    ガイド溝
１４    出入り口
２    引き戸
２００    引き戸本体
２０１    取付凹部
２０２    取っ手
２１０    吊車
２１２    支持体
２１４    車輪（戸車）
２１６    取付部
２１８    連結部
２２０    第１遮蔽部材
２２２    ガイド部
２２４    遮蔽部
２３０    第２遮蔽部材
２４０    下部ガイド体
２５０    第１遮蔽部材
３    ガイドレール
３１    ウェブ部
３２    フランジ部
３３    リップ部
３４    開口部
【図１】
2014105476.tif 000003
【図２】
2014105476.tif 000004
【図３】
2014105476.tif 000005
【図４】
2014105476.tif 000006
【図５】
2014105476.tif 000007
【図６】
2014105476.tif 000008